(57)【特許請求の範囲】
【請求項１】
各色用の像担持体を含む各色の作像装置を無端状ベルトに夫々対向配置したタンデム構成であり、少なくともカラー出力モードとブラック単色出力モードを有する画像形成装置において、
前記各色の作像装置は、各色用の像担持体に夫々対向配置される帯電手段及び現像手段をそれぞれ備えるとともに、該帯電手段に対して共通の１つの帯電電位供給電源を使用し、
前記カラー出力モード時は、前記現像手段で用いる夫々の現像バイアスの中で、最も絶対値が高くなる現像バイアスに対応させて前記帯電電位供給電源の出力値を決定して、各色用の像担持体の帯電電位が同電位となるよう前記帯電手段を制御し、且つ、
前記ブラック単色出力モード時は、ブラック用の現像手段で用いる現像バイアスに対応させて前記帯電電位供給電源の出力値を決定することにより、ブラック用の像担持体の帯電電位を可変制御するとともに、前記無端状ベルトをブラック以外の色用の像担持体から離間させるよう制御し、
前記カラー出力モード時に、前記無端状ベルトに転移させるトナー像の最終色はイエローである
ことを特徴とする画像形成装置。
【請求項２】
各色用の像担持体を含む各色の作像装置を無端状ベルトに夫々対向配置したタンデム構成の画像形成装置において、
前記各色の作像装置は、各色用の像担持体に夫々対向配置される帯電手段及び現像手段をそれぞれ備え、
カラー用の作像装置に夫々含まれる帯電手段に対して１つの共通の帯電電位供給電源を使用し、且つ、ブラック用の作像装置に含まれる帯電装置に対して１つの帯電電位供給電源を使用し、
前記無端状ベルトにトナー像を転移させる最終色はイエローであり、
イエロー用の現像手段で用いる現像バイアスに対応させて前記共通の１つの帯電電位供給電源の出力値を決定し、且つ、
ブラック用の現像手段で用いる現像バイアスに対応させて前記１つの帯電電位供給電源の出力値を決定する
ことを特徴とする画像形成装置。
【請求項３】
請求項２に記載の画像形成装置において、
前記無端状ベルトに転移させるトナー像の最上流色をブラックとする
ことを特徴とする画像形成装置。
【請求項４】
請求項１ないし請求項３のいずれかに記載の画像形成装置において、
２次転写部を持つ構成である
ことを特徴とする画像形成装置。
【請求項５】
請求項１ないし請求項３のいずれかに記載の画像形成装置において、
前記無端状ベルトは記録紙を吸着搬送することも兼ねるベルトである
ことを特徴とする画像形成装置。
【発明の詳細な説明】
【技術分野】
【０００１】
本発明は、複写機、プリンター、ＦＡＸなどの画像形成に用いる画像形成装置に関する。
【背景技術】
【０００２】
カラートナーを使用して画像を形成するプリンタ、複写機及びファクシミリ装置などのカラー画像形成装置において、近年装置の小型化及び低コスト化が加速している。また、一般的な電子写真の画像形成装置においては、カラーの色に応じて帯電電位供給電源を持ち、各色の濃度を一定にするために決められた現像バイアスに応じて、帯電電位と現像バイアスのポテンシャル差がほぼ均等となるように帯電電位を可変として制御している。そして、逆帯電トナーが白画像部につくのを阻止するために帯電電位（白画像電位）と現像バイアスの間に電界をかけている。一般的にほぼ現像開始電位にするときが最も白画像部へのトナー付着が抑制できるが、帯電電位と現像バイアスの電位差が現像開始電位よりも小さくなれば正規の帯電トナーが現像される領域となるため、変動バラツキも加味して、現像バイアスと現像開始電位との差は、−１００Ｖ〜−２００Ｖ程度の設定としている。具体的な一例には、現像バイアスが−２５０Ｖ、現像開始電位が−８０Ｖの場合、像担持体表面の帯電電位は、−４８０Ｖ程度に設定される。この帯電電位をマイナス側とすれば、より逆帯電トナーの付着が増大するし、帯電電位をプラス側とすれば−２８０Ｖを境に、それよりもプラス側の電位の部分で現像されてしまう。そして、現像バイアス及び現像開始電圧が濃度調整に応じてプラス側もしくはマイナス側にシフトした場合には、それに応じて帯電電位の設定値をシフトさせるというのが一般的である。ここでは、各色の現像バイアス設定値に応じて、概略最適な帯電電位設定値が存在するという表現に留めておく。
【０００３】
一方、装置の低コスト化策として、帯電電位供給電源を共通として１つの電源を用いる方法がある（例えば、特許文献１及び特許文献２参照）。この方法では、４色同一の帯電電位供給バイアスとなるため、前述のように現像バイアスに応じて色毎に帯電バイアスを可変に設定することができない。そのため、あらかじめ現像バイアスの設定の変動範囲を予想しておき、そのいずれにおいても現像開始電圧を超えないように設定する必要がある。このため、実際に設定される現像バイアス設定値と帯電電位設定値の差が大きくなり、白画像部に逆帯電トナーが付着しやすくなり、この白画像部のかぶり汚れが課題となっている。
この課題を解決するために、例えばトナーの荷電分布を過剰に揃えるための策が必要であり（逆帯電トナーを低減する）、いろいろな提案がなされている。その中の１つとして簡易に構成のみで実施できる策として、イエローを最下流色として、上流３色に関しては、その下流の像担持体で逆帯電トナーを回収し、最下流のイエローだけはかぶり汚れとなるが目視的に目立たない色とする策がある。
しかし、この方法では、ブラック（Ｋ）単色出力モードの際に、マゼンタ、シアン及びイエロー用（ＣＭＹ用）の像担持体を転写ベルトから離間させる構成のシステムでは、下流の像担持体がないため、課題は解決されない。また、ブラック用に関しては、トナーにカーボン成分が入っているため低抵抗となりやすい傾向がありカラートナーよりも逆帯電トナー成分が多くなる傾向があり、また、目視的にも白画像部に付着した場合にカラートナーよりも人間の目で検出されやすいという問題があった。
【０００４】
【特許文献１】特開２００４−１５１６１２号公報
【特許文献２】特開２００４−１６３５０２号公報
【発明の開示】
【発明が解決しようとする課題】
【０００５】
そこで、本発明は上記問題点に鑑みてなされたものであり、その課題は、少なくともマゼンタ、シアン及びイエロー用に関しては、低コスト化・長寿命化を達成しながらにして、白画像部の汚れを生じさせない画像形成装置を提供することを目的としている。
また、その課題は、カラー及びブラック単色出力モード時の白画像部の汚れを生じさせない画像形成装置を提供することを目的としている。
また、その課題は、最終色の白画像部の汚れを生じさせない画像形成装置を提供することを目的としている。
【課題を解決するための手段】
【０００６】
上記課題を解決する手段である本発明の特徴を以下に挙げる。
本発明の画像形成装置は、各色用の像担持体を含む各色の作像装置を無端状ベルトに夫々対向配置したタンデム構成であり、少なくともカラー出力モードとブラック単色出力モードを有する画像形成装置において、前記各色の作像装置は、各色用の像担持体に夫々対向配置される帯電手段及び現像手段をそれぞれ備えるとともに、該帯電手段に対して共通の１つの帯電電位供給電源を使用し、前記カラー出力モード時は、前記現像手段で用いる夫々の現像バイアスの中で、最も絶対値が高くなる現像バイアスに対応させて前記帯電電位供給電源の出力値を決定して、各色用の像担持体の帯電電位が同電位となるよう前記帯電手段を制御し、且つ、前記ブラック単色出力モード時は、ブラック用の現像手段で用いる現像バイアスに対応させて前記帯電電位供給電源の出力値を決定することにより、ブラック用の像担持体の帯電電位を可変制御するとともに、前記無端状ベルトをブラック以外の色用の像担持体から離間させるよう制御し、前記カラー出力モード時に、前記無端状ベルトに転移させるトナー像の最終色はイエローであることを特徴とする。
【０００７】
本発明の画像形成装置は、各色用の像担持体を含む各色の作像装置を無端状ベルトに夫々対向配置したタンデム構成の画像形成装置において、前記各色の作像装置は、各色用の像担持体に夫々対向配置される帯電手段及び現像手段をそれぞれ備え、カラー用の作像装置に夫々含まれる帯電手段に対して１つの共通の帯電電位供給電源を使用し、且つ、ブラック用の作像装置に含まれる帯電装置に対して１つの帯電電位供給電源を使用し、前記無端状ベルトにトナー像を転移させる最終色はイエローであり、イエロー用の現像手段で用いる現像バイアスに対応させて前記共通の１つの帯電電位供給電源の出力値を決定し、且つ、ブラック用の現像手段で用いる現像バイアスに対応させて前記１つの帯電電位供給電源の出力値を決定することを特徴とする。
【０００８】
また、本発明の画像形成装置は、さらに、前記無端状ベルトに転移させるトナー像の最上流色をブラックとすることを特徴とする。
また、本発明の画像形成装置は、さらに、２次転写部を持つ構成であることを特徴とする。
また、本発明の画像形成装置は、さらに、前記無端状ベルトは記録紙を吸着搬送することも兼ねるベルトであることを特徴とする。
【発明の効果】
【０００９】
上記解決する手段としての画像形成装置では、以下の作用効果を奏する。
本発明は、少なくともマゼンタ、シアン及びイエロー用（ＣＭＹ用）の像担持体へ共通の帯電電位供給電源を使用しているので、装置の低コスト化を図ることができる。また、ＣＭＹ用の像担持体の長寿命化を達成するためにブラック単色出力モード時に無端状ベルトを離間させた構成とした場合の副作用であった白画像部のかぶり汚れを、帯電電位を現像バイアスに応じて可変とすることで低減させることができる。すなわち、少なくともＣＭＹ用に関しては、低コスト化・長寿命化を達成させながら、白画像部の汚れの発生を防止することができる。
本発明は、カラー出力モード時には最下流色をイエローとすることで逆帯電極性の白画像部のかぶり汚れの原因となるトナーを下流の色の像担持体で回収することができる。そして、最終色に関しては、目視的に目立たないイエローとすることで多少の白画像部のかぶり汚れとなっても問題ないレベルとなり、カラー出力モード時の、白画像部の汚れを防止することができる。
【００１０】
本発明は、唯一下流色のない最終色に関しては、無端状ベルトに移転した逆帯電トナーがそのまま白画像部の汚れとなっているため、その最終色を少しでも有利な像担持体の表面の帯電電位（少なくともマゼンタ、シアン及びイエロー用は共通電源なので同一の帯電電位となる）とすることで、最終色の白画像部の汚れを防止することができる。なお、上流３色に関しては、最終色の像担持体で白画像部の汚れに寄与する逆帯電トナーを回収できるので問題とならない。
本発明は、ブラック単色出力モード時には、ブラック色用の現像バイアスに応じてブラック用の帯電電位を決定することで、ブラック単色出力モード時の白画像部の汚れを防止することができる。すなわち、ブラック単色出力モード時には、ＣＭＹ用の像担持体と無端状ベルトが離間するため、ブラック像担持体が最下流像担持体となってしまい、カラー出力モード時のように下流の像担持体で逆帯電トナーを回収できないという課題を解決することができる。ちなみに、カラー出力モード時には、ＫＭＣＹ共通の帯電電位供給電源を使用した場合、ブラック色の逆帯電トナーの付着を低減するような帯電電位としたとき、他の３色が逆に白画像部において逆帯電トナーの付着が増えることになるため、そのような設定にすることができない。
【００１１】
本発明は、ブラック用のみ独立の帯電電位供給電源を持たせることで、カラー出力モード時のブラック用の白画像部へのトナー付着を低減できる条件に設定することができる。すなわち、ブラック色は目視的に白画像部に付着した場合、異常画像とみなされやすい特性があることや、カーボンが他のカラー色よりも多く含まれており帯電特性的に逆帯電トナーが創出されやすい特性から、白画像部の汚れが生じやすいという課題があったがこれを解決することができる。
本発明は、記録紙にトナーが移動するまでに２回の転写工程を経るため、直接転写に比べて白画像部のかぶり汚れが下流の像担持体などで回収しやすい構成である。したがって、大胆な設定、すなわち、最終色以外の像担持体上では、逆に白画像部のかぶり汚れが悪い設定が可能である。
本発明は、直接転写では、像担持体の白画像部のかぶり汚れが直接紙にのせられるため、白画像部のかぶり汚れが異常となりやすいので、無端状ベルトが記録紙を吸着搬送することも兼ねるベルトであることは特に有効である。
【００１２】
本発明は、唯一下流色のない最終色に関しては、無端状ベルトに転移した逆帯電トナーがそのまま白画像部の汚れとなっているため、その最終色に少しでも有利な像担持体の表面の帯電電位（少なくともマゼンタ、シアン及びイエロー用は共通電源なので同一の帯電電位となる）とすることで、最終色用の白画像部の汚れの発生を防止することができる。なお、上流３色に関しては、最終色用の像担持体で白画像部の汚れに寄与する逆帯電トナーを回収できるので問題とならない。
本発明は、ブラック用の像担持体の下流にＣＭＹの３色の像担持体を配備することで、３度の逆帯電トナーを回収する工程を経るため、ブラック用の白画像部の汚れを低減できた。すなわち、ブラック色は目視的に白画像部に付着した場合、異常画像とみなされやすい特性があることや、カーボンが他のカラー色よりも多く含まれており帯電特性的に逆帯電トナーが創出されやすい特性があることから、白画像部の汚れが生じやすかったが、この課題を解決することができる。
本発明は、ブラック用のみ独立の帯電電位供給電源を持たせることで、より課題の生じやすいブラック用の白画像部へのトナー付着を低減できる条件に装置を設定することができる。
【発明を実施するための最良の形態】
【００１３】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１４】
本発明者は、従来の課題を解決するために以下に示す手段を見出した。
（第１の手段）
カラー出力モード時とブラック単色出力モード時で、帯電電位の設定制御を変更する。カラー出力モード時には、ＹＣＭＫ用の帯電電位狙い値は同一とする。この設定では、各色の現像バイアスや現像開始電圧が異なった場合の最適な帯電電位にすることができないため、白画像部の逆帯電トナー付着に有利な設定とはできないが、最終色をイエローとし目視的に目立たなくする従来手法で解決する。一方、ブラック単色出力モード時には、ＣＭＹ用の像担持体は駆動していないので、ブラック用の現像バイアス設定値に対応させた白画像部への逆帯電トナー付着に最も有利な帯電電位の設定とすることで課題を解決した。さらに、請求項５で示す構成としては、ＣＭＹ用で１つの帯電電位供給電源、ブラック用で別の帯電電位供給電源とすることで、カラー出力モード時も含めて最も目視的に異常が検出されやすいブラック用の白画像部への逆帯電トナー付着を低減し、課題を解決した。
【００１５】
（第２の手段）
最終色をイエローとした上で、共通の帯電電位供給電源を使用している色の中で絶対値で最も高くなる色用の現像バイアスに対応させて現像バイアス設定値を決定する。帯電電位固定としている方法の場合は、想定される現像バイアス設定値の全ての場合に、帯電電位と現像バイアスの電位差が現像開始電圧を超えないように配慮しなければならないが、絶対値で最も高くなる色用の現像バイアスに対応させることで若干白画像部への逆帯電トナー付着を低減し、下流の像担持体がない最終色も含め全色に対して白画像部への逆帯電トナーの付着を問題ないレベルとできた。
【００１６】
図１は、本発明の画像形成装置の一実施形態を示している。プロセスカートリッジ２Ｙ、２Ｍ、２Ｃ、２Ｋは、画像形成装置１に着脱可能な形式で装着されている。画像形成装置１は、光学系１ａ、給紙コロ１ｂ、記録紙３を収納する給紙カセット１ｃ、転写ユニット１ｄ、定着ローラ１ｅ等で構成される。一方、プロセスカートリッジ２は、帯電ローラ２ａ、現像手段、トナー収納部２ｂ、クリーニング手段、廃トナー回収部２ｃ、像担持体（感光体ともいう）２ｄ等で構成されている。光学系１ａは、ポリゴンモーター、ポリゴンミラー、Ｆθレンズ、レーザーダイオード、ミラー等で構成されている。
画像形成装置１の動作の概略を説明する。給紙コロ１ｂにより、給紙カセット１ｃに収納された記録紙３は、像担持体２ｄへ搬送される。像担持体２ｄは回転駆動され、その際、帯電ローラ２ａによって帯電され、光学系１ａからレーザー光が照射されて、像担持体２ｄ上に、静電潜像が形成される。
この静電潜像は、現像手段及びトナー収納部２ｂを通る際に、トナーによって可視像化される。可視像は、像担持体２ｄから転写ユニット１ｄへ１次転写され、転写ユニット１ｄから搬送されてきた記録紙３に２次転写される。すなわち、この画像形成装置１は、２次転写部を持つ構成である。そして、この記録紙３は定着ローラ１ｅに搬送され、記録紙３上の可視像は定着され、画像形成装置１の外部に排出される。
図２に画像形成装置本体に着装されるプロセスカートリッジ２の斜視図を示す。プロセスカートリッジ２は、帯電ローラ２ａ、現像手段、トナー収納部２ｂ、クリーニング手段、廃トナー回収部２ｃ、像担持体２ｄを一体（ＡＩＯ）にしたものである。廃トナー回収部２ｃは、プロセスカートリッジ内に設けられている。
【００１７】
図３及び図４に帯電ローラ２ａへの帯電電位供給電源の構成図を示す。図３は、ＹＣＭＫ用の作像用に１つの帯電電位供給電源を持った構成を示している。図に示すように、転写ユニット１ｄの無端状ベルトである転写ベルト１ｄ１は、３個のローラに張架されている。転写ベルト１ｄ１上には、ＹＣＭＫ用の４個の像担持体２ｄが整列して配置されている。各像担持体２ｄにはケーブルを介して帯電電位供給電源が接続されている。図４は、ブラック用に１つの帯電電位供給電源を持ち、ＣＭＹ用に１つの共通の帯電電位供給電源を持った構成を示している。その他の構成は、図３と同様である。本発明は、少なくともマゼンタ、シアン及びイエロー用の像担持体へは共通の１つの帯電電位供給電源を使用し、カラー出力モード時は帯電電位を少なくともマゼンタ、シアン及びイエロー用の像担持体に対して同電位制御し、ブラック単色出力モード時は帯電電位を可変制御する構成であるので、図３と図４の装置のいずれを用いても本発明を実施することができる。
帯電電位供給電源は、マゼンタ、シアン及びイエロー用を共通した物とブラック用の物との２つとし、マゼンタ、シアン及びイエロー用の帯電電位はイエロー用の現像バイアスに対応させて帯電電位供給電源の出力を決定し、ブラック用の帯電電位はブラック用の現像バイアスに対応させて帯電電位供給電源の出力を決定する。
【００１８】
図５は、像担持体表面を所定の帯電電位にするための現像バイアスと、白画像部へのトナー付着量との関係を示すグラフである。この図で、現像バイアスが−８０Ｖよりも０Ｖ側では現像バイアスの増加に伴い急激にトナー付着量が増えており正規の現像がなされている。したがって、この急激に立ち上がる直線を延長したときのバイアス−８０Ｖが概略現像開始点（バイアス）となる。一方、現像バイアスが−８０Ｖよりもマイナス側に行くに連れて、徐々に白画像部のトナー付着量が増大していることが分かる。これは逆帯電トナーを引き付ける電界が増えたため逆帯電トナーが白画像部へ移動しているからである。
【００１９】
図６は、転写ベルト１ｄ１で記録紙３を吸着搬送しながら転写を行う直接転写構成の実施例を示している。カラー出力モード時の場合、図１の２ａで示す帯電ローラは、図３と同様に、４色共通の帯電電位供給電源よりバイアスが印加され、像担持体の帯電電位が決定される。この実施例では、例えば、像担持体２ｄの表面の帯電電位Ｖｃが−５００Ｖとなるように、約−１２００Ｖの供給バイアスを帯電ローラ２ａに印加される。この印加バイアスは環境などが変化した際にはテーブルにより可変となっており、常にＶｃが一定になるように制御可能である。また、現像バイアスＶｂは、転写ベルト１ｄ１上に書かせたパターンの濃度をセンサで読み取ることにより決定される。このＶｂ値が例えば−２００Ｖとなる色と−１００Ｖとなる色があった場合、図５のグラフの関係よりＶｂが−１００Ｖの方が、白紙部のトナー汚れ量が多くなる。これは逆帯電トナーがより電界により移動しやすくなったからである。また、Ｖｃの値をあらかじめ低く設定しておくと今度はＶｂ値が高く設定されたときに、現像開始電圧を超えてしまい、全面に現像されてしまうということになる。
【００２０】
このように固定したＶｃで使用する場合は簡易な設定が可能だが、Ｖｂの最もマイナス側に高くなる幅を制限して決定する必要があった。その副作用としてどうしてもトナーが劣化して帯電量が落ちてＶｂが低めに設定される場合などに特に、白画像部のトナー汚れが発生した。これに関しては、下流の像担持体での転写時に正規の転写電界を印加することで下流の像担持体で回収できる。具体的には、図６（図３）の場合、そのブラック（Ｋ）トナーの白画像部のトナー汚れはその下流のマゼンタ（Ｍ）かシアン（Ｃ）かイエロー（Ｙ）用の像担持体２ｄにより回収される。マゼンタ、シアンについても同様に下流のイエロー用の像担持体２ｄで回収する。イエロー（Ｙ）に関してのみ下流の像担持体が存在しないため、回収できないが、目視的に目立たない色であるため問題となることはない。
【００２１】
ブラック単色出力モード時の場合、図７に示すように、転写ベルト１ｄ１とＣＭＹ用の像担持体は離間した構成となり、ブラック（Ｋ）用の像担持体と転写ベルト１ｄ１が回転する。このときの像担持体の表面の帯電電位Ｖｃは、現像バイアスＶｂに応じて決定することが望ましい。Ｖｂはカラー出力モード時と同様に、転写ベルト１ｄ１上に書かせたパターンの濃度をセンサで読み取ることにより決定される。例えば、Ｖｂ＝−２５０Ｖとなった場合、変動も含めて現像開始電圧を超えないように、Ｖｂ＝−１５０Ｖを用いて像担持体２ｄの表面の帯電電位Ｖｃを得る。したがって、Ｖｃ＝−４００Ｖと設定する。Ｖｂはブラック（Ｋ）の濃度をセンシングする度に、更新されその度にＶｃを再設定しなおす。これにより、図５の関係から像担持体２ｄの表面の帯電電位Ｖｃを−５００Ｖで固定とした場合よりも、白画像部へのトナー付着量が少ない現像開始点に近い側とできるので、ブラック単色出力モード時の白画像部のトナー汚れを目立たなくすることができる。
【００２２】
図６及び図７では、４色を同一の帯電電位供給電源としているので、コストの低い簡易な方法となる。図６と図７と間の構成の変化は、転写ベルト１ｄ１を張架するローラの位置を制御して行う。すなわち、図１で説明したように、４連タンデム構成であり、カラー出力モードとブラック単色出力モードを持ち、かつブラック単色出力モード時にブラック用以外の像担持体２ｄと転写ベルト１ｄ１が離間した構成となる。
図６のカラー出力モードでは最もマイナス側となるＶｂ値を判断し、そのＶｂ値に対応させてＶｃ値を設定する。例えば、濃度センサにより決定された現像バイアスＶｂの値がブラック（Ｋ）＝−２００Ｖ、マゼンタ（Ｍ）＝−２５０Ｖ、シアン（Ｃ）＝２２０Ｖ、イエロー（Ｙ）＝−２１０Ｖの場合、マゼンタ（Ｍ）の−２５０Ｖを元に、現像バイアスＶｂ＝−１５０Ｖを印加して像担持体２ｄの表面の帯電電位Ｖｃを決定する。したがって、Ｖｃの値を−４００Ｖと設定制御とする。このように設定することで、Ｖｃを−５００Ｖで固定した場合よりも、白画像部へのトナー付着量が少ない現像開始点に近い側とできるので、白画像部へのトナー付着を低減することができる。すなわち、この構成では、最終色をイエローとした上で、共通の帯電電位供給電源を使用している色の中で絶対値で最も高くなる色用の現像バイアス（マゼンタ（Ｍ）＝−２５０Ｖ）に対応させて現像バイアス設定値を決定する。帯電電位固定としている方法の場合は、想定される現像バイアス設定値の全ての場合に、帯電電位と現像バイアスの電位差が現像開始電圧を超えないように配慮しなければならないが、絶対値で最も高くなる色用の現像バイアスに対応させることで若干白画像部への逆帯電トナー付着を低減し、下流像担持体がない最終色も含め全色に対して白画像部への逆帯電トナーの付着を問題ないレベルとすることができた。
【図面の簡単な説明】
【００２３】
【図１】図１は、本発明の画像形成装置の一実施形態を示す説明図である。
【図２】図２は、画像形成装置本体に着装されるプロセスカートリッジの斜視図である。
【図３】図３は、帯電ローラへの帯電電位供給電源の構成を示す説明図であり、ＹＣＭＫ用の作像用に１つの帯電電位供給電源を持った構成を示している。
【図４】図４は、帯電ローラへの帯電電位供給電源の構成を示す説明図であり、ブラック用に１つの帯電電位供給電源を持ち、ＣＭＹ用に１つの帯電電位供給電源を持った構成を示している。
【図５】図５は、像担持体表面を所定の帯電電位にするための現像バイアスと、白画像部へのトナー付着量との関係を示すグラフである。
【図６】図６は、記録紙を搬送しながら転写を行う直接転写構成の実施例（カラー出力モード時）を示す説明図である。
【図７】図７は、記録紙を搬送しながら転写を行う直接転写構成の実施例（ブラック単色出力モード時）を示す説明図である。
【符号の説明】
【００２４】
１  画像形成装置
１ａ  光学系
１ｂ  給紙コロ
１ｃ  給紙カセット
１ｄ  転写ユニット
１ｄ１  転写ベルト
１ｅ  定着ローラ
２  プロセスカートリッジ
２ａ  帯電ローラ
２ｂ  トナー収容部
２ｃ  廃トナー回収部
２ｄ  像担持体
３  記録紙
【図１】
0005282450.tif 000002
【図２】
0005282450.tif 000003
【図３】
0005282450.tif 000004
【図４】
0005282450.tif 000005
【図５】
0005282450.tif 000006
【図６】
0005282450.tif 000007
【図７】
0005282450.tif 000008